(57)【要約】【課題】微生物による有機物の分解、消化能力を高めることで、水洗トイレの便器の水溜部分に黒カビ等が付着するのを軽減させることができる水洗トイレの便器洗浄方法およびその装置を提供すること。【解決手段】洗浄水タンク内の微生物処理液を便器の溜水内に供給させ、溜水内の微生物処理液を曝気させることにより便器を洗浄させることを特徴とする水洗トイレの便器洗浄方法。洗浄水タンク内に収容される微生物処理材と、便器に設置された、便器の溜水内に空気を送り込むエアレーション装置とで構成されていることを特徴とする水洗トイレの便器洗浄装置。【選択図】    図１
2004278272.tif 000002
【特許請求の範囲】
【請求項１】
洗浄水タンク内の微生物処理液を便器の溜水内に供給させ、溜水内の微生物処理液を曝気させることにより便器を洗浄させることを特徴とする水洗トイレの便器洗浄方法。
【請求項２】
洗浄水タンク内に収容される微生物処理材と、便器に設置された、便器の溜水内に空気を送り込むエアレーション装置とで構成されていることを特徴とする水洗トイレの便器洗浄装置。
【請求項３】
前記エアレーション装置は、酸素を供給させる送風装置と、便器に穿設された貫通孔と、送風装置と貫通孔間に連設された管とで構成されている請求項２記載の水洗トイレの便器洗浄装置。
【請求項４】
前記管の分岐部分に弁を内蔵させた請求項３記載の水洗トイレの便器洗浄装置。
【発明の詳細な説明】
【０００１】
【発明の属する技術分野】
本発明は、水洗トイレの便器の水溜部分に、黒カビ等の汚れが付着するのを軽減することができる水洗トイレの便器洗浄方法およびその装置に関する。
【０００２】
【従来の技術】
従来より、微生物を利用し、給水タンクから便器を経て汚水槽に至る水洗トイレの送水ラインの洗浄を、容易にかつ確実に行うことができる微生物による水洗トイレットの洗浄方法及び洗浄剤が知られている（例えば、特許文献１参照）。
【０００３】
【特許文献１】
特開平１０−２７７５８７号公報（第１−２頁、第１図）
【０００４】
【発明が解決しようとする課題】
しかし、上記特許文献１は、給水タンクから給水管、便器、排水管を経て汚水槽に至る水洗トイレの送水ラインに微生物を流過させ、かかる微生物にて有機物を分解、消化させるものであるため、流過中の微生物に充分の酸素の供給がされず、微生物が保持するの特性をより活発に増殖させるまでに至らなかった。
【０００５】
そこで本発明の目的は、微生物による有機物の分解、消化能力を高めることで、水洗トイレの便器の水溜部分に黒カビ等が付着するのを軽減することができる水洗トイレの便器洗浄方法およびその装置を提供することにある。
【０００６】
【課題を解決するための手段】
上記課題を達成するために、本発明の水洗トイレの便器洗浄方法は、洗浄水タンク内の微生物処理液を便器の溜水内に供給させ、溜水内の微生物処理液を曝気させることにより便器を洗浄させることを特徴とする。
【０００７】
また、便器洗浄方法に使用される装置は、洗浄水タンク内に収容される微生物処理材と、便器に設置された、便器の溜水内に空気を送り込むエアレーション装置とで構成されている。また、前記エアレーション装置は、酸素を供給させる送風装置と、便器に穿設された貫通孔と、送風装置と貫通孔間に連設された管とで形成されている。そのため、洗浄タンクより便器内に微生物処理液が供給され、溜水内に溜った生物処理液を曝気することにより、微生物が活性化されて有機物の分解、消化能力を高めることができ、便器内に水垢等が付着するのが軽減される。さらに、管の分岐部分に弁を内蔵させたことにより、便器の貫通孔詰りにおいても、容易に対処することができる。
【０００８】
【発明の実施の形態】
本発明の水洗トイレの便器洗浄方法およびその装置の実施の形態を図面に基づいて説明する。なお、図１は本発明の便器洗浄装置を具備した水洗トイレの断面図、図２は曝気状態の断面図、図３は管の分岐部分、図４は微生物処理材の断面図をそれぞれ表す。
【０００９】
本発明の水洗トイレの便器洗浄方法は、洗浄タンク内に微生物処理材を収容させ、前記洗浄タンクより便器の溜水内に微生物処理液を供給し、便器内に溜った生物処理液に、エアレーション装置にて空気を供給させて曝気させるものであり、溜水内の微生物を活性化させ有機物の分解、消化能力を高め、便器内に黒カビや水垢等が付着するのを軽減させるものである。
【００１０】
また、前記水洗トイレの便器洗浄方法に使用される洗浄装置１は、洗浄水タンク２内に収容される微生物処理材１０と、便器３に設置された、便器３の溜水４内に空気ａを送り込むエアレーション装置２０とで構成されている。
【００１１】
微生物処理材１０は、溜水４により便器３の内側（特に水面付近）に付着する黒カビや水垢等の有機物を分解して消化させるもので、各種微生物と籾殻、またセラミックボール等を混合することにより塊状に形成されている。また、前記微生物処理材１０は、図４に示すように、複数の開孔部１１を有するケース１２内に収容されている。
【００１２】
エアレーション装置２０は、水溜４内に空気を供給させる送風装置２１と、便器３に穿設された貫通孔２２と、送風装置２１と貫通孔２２間に連設された管２３とで構成されている。また、送風装置２１から連設された管２３は、分岐部分２４から枝分れした管２５より夫々の貫通孔２２に接続されている。
【００１３】
また、便器３に穿設された貫通孔２２は、便器３の周囲に複数設けられており、好ましくは、水溜４の水面付近と中間部分に夫々設けることが好ましい。特に、水溜４の水面付近に設けることにより、便器３内で最も汚れが付着しやすい部分に空気が供給され、微生物処理材１０の活性を一層向上させることができる。
【００１４】
また、他の好適例として、図３に示すように、管２３の分岐部分２４の管２５内に弁２６を内蔵させることが好ましい。前記弁２６を内蔵させることにより、例えば、何れかの便器３の貫通孔２２が詰まった場合においても、管２５内の弁２６を操作して貫通孔２２の詰まりを容易に修理することができる。
【００１５】
なお、前記エアレーション装置２０は、図示する構造に限定されたものではなく、便器３の水溜４内に空気を供給できるものであれば如何なる構造であってもよい。また、送風装置２１にタイマーを装着させたり、微生物処理材１０の活発を促すために、ヒーター等を具備させてもよいことは言うまでもない。
【００１６】
次に、本発明の水洗トイレの便器洗浄方法およびその使用方法を説明する。
洗浄水タンク２内に微生物処理材１０を収容させ、洗浄水タンク２内に溶け込んだ微生物処理液１３をパイプ５から便器３の水溜４内に供給させる。その後、エアレーション装置２０を作動させると、送風装置２１から給気された空気ａが管２２、２５を通って便器３の水溜４内に供給される。すると、供給された空気ａにより水溜４内に複数の気泡ｂが発生され、かかる気泡ｂにて便器２内の微生物処理液１３が攪拌されて曝気が行われる。
【００１７】
曝気された水溜４内の微生物処理液１３は、便器３の表面全体や、最も汚れが付着しやすい水溜４の水面付近の黒かびや水垢等の有機物を分解、消化させ、便器３を常に洗浄した状態に維持することができる。そのため、従来のように化学洗浄剤を利用してブラシで汚れを除去する手間が不要となる。
【００１８】
【発明の効果】
以上説明してきたように、本発明の水洗トイレの便器洗浄方法およびその装置は、上記の構成とすることで以下に示す効果を奏するものである。
【００１９】
洗浄タンクより便器内に微生物処理液が供給され、便器内に溜った生物処理液を曝気することにより、微生物が活性化されて有機物の分解、消化能力を高めることができ、便器内に黒カビや水垢等が付着するのが軽減される。
【図面の簡単な説明】
【図１】本発明の便器洗浄装置を具備した水洗トイレの断面図である。
【図２】曝気状態の断面図である。
【図３】微生物処理材の断面図である。
【図４】管の分岐部分である。
【符号の説明】
１・・・洗浄装置
２・・・洗浄水タンク
３・・・便器
４・・・溜水
５・・・パイプ
１０・・微生物処理材
１１・・開孔部
１２・・ケース
１３・・微生物処理液
２０・・エアレーション装置
２１・・送風装置
２２・・貫通孔
２３・・管
２４・・分岐部分
２５・・管
２６・・弁
ａ・・・空気
ｂ・・・気泡
【図１】
2004278272.tif 000003
【図２】
2004278272.tif 000004
【図３】
2004278272.tif 000005
【図４】
2004278272.tif 000006